(57)【特許請求の範囲】
【請求項１】
両端部に蓋板が固着されたオーガドラムを、搬送デッキの左右両端部に立設配備された左右一対の側板に亘って回転自在に軸支し、一方の蓋板の中心に軸受けブラケットを介して回動可能に貫通される固定支軸を一方の側板に連結固定するとともに、他方の蓋板の中心に連結フランジを介して連結固定した回転支軸を他方の側板に回転自在に貫通支承し、前記固定支軸のドラム内方端部に支持ブラケットを介して偏心支軸を連結支持し、オーガドラムに外周から貫通装着した掻込み体の基端部を前記偏心支軸に枢支して、オーガドラムの回転によって前記掻込み体をオーガドラムから出退作動させるよう構成したコンバインのオーガ構造であって、
前記左右一対の側板のそれぞれに側板組付け孔を開口するとともに、前記オーガドラムの一方の蓋板に前記偏心支軸および支持ブラケットを挿通し得る形状で且つ前記軸受けブラケットを連結し得る形状の組付け孔を開口して、前記オーガドラムを前記左右一対の側板の間に挿入した状態で、前記連結フランジを連結した前記回転支軸を前記他方の側板の側板組付け孔を通して前記オーガドラム内に挿入して前記連結フランジを前記他方の蓋板の中心に前記他方の側板側から連結固定するとともに、前記支持ブラケットを介して前記偏心支軸を連結支持し且つ前記軸受けブラケットを外嵌装着した前記固定支軸を、前記一方の側板の側板組付け孔及び前記組付け孔を通して前記オーガドラム内に挿入して、前記軸受けブラケットを前記一方の蓋板の中心に前記一方の側板側から連結固定するように構成し、
前記一方の側板に形成される側板組付け孔を、前記一方の蓋板に装着される前記軸受けブラケットの外形よりも大きい径に形成してあることを特徴とするコンバインのオーガ構造。
【請求項２】
固定支軸を回動可能に支持する軸受けブラケットは、偏心支軸および支持ブラケットを挿通し得る形状の組付け孔が形成された一方の蓋板に対して固定支軸の周方向での複数の連結箇所で固定してあるとともに、前記組付け孔は、前記一方の蓋体に対する軸受けブラケットの連結箇所同士の周方向での間隔を通して、前記固定支軸の径方向で前記連結箇所の内外にわたって形成してある請求項１記載のコンバインのオーガ構造。
【発明の詳細な説明】
【技術分野】
【０００１】
本発明は、普通型のコンバインにおける刈取り部に装備されるオーガの構造に関する。
【背景技術】
【０００２】
上記オーガは、刈取られた作物をオーガドラムの外周に供えたスクリュー羽根で刈幅内の所定箇所に横送りし、横送りした刈取り作物をオーガドラムの外周から突出する棒状あるいは板状の掻込み体で後方に掻き込んで、刈取り部の背部に接続されたフィーダの始端入口に送り込むよう機能するものである。
【０００３】
掻込み体は、掻き込んだ作物を持ち回らないように、フィーダの始端に向かう所定の回動位相で退入するよう構成されており、その具体的な構造が、例えば、特許文献１に示されている。すなわち、刈取り部の底面を構成する搬送デッキの左右両端部から縦壁状に左右一対の側板が立設配備され、この側板に亘ってオーガドラムを回転自在に軸支し、オーガドラムに外周から貫通装着した掻き込み体（特許文献１では板状）の基端部を、オーガドラムの内部に回動不能に設置固定された偏心支軸に枢支して、オーガドラムの回転に伴って掻込み体をオーガドラムから出退作動させるよう構成されている。
【特許文献１】特開平１０−２９０６１７号公報
【発明の開示】
【発明が解決しようとする課題】
【０００４】
従来、上記構成のオーガを刈取り部に組付けるには、刈取り部の枠組みをなす刈取り部フレームに左右の側板の片方、搬送デッキ、背板を取り付け、別工程で組上げたオーガの一端部を、固定された片方の側板に軸支装着した後、他方の側板を刈取り部フレームに連結して、この側板でオーガの他端部を軸支するようにしていた。
【０００５】
従って、刈取り部における左右の側板のうち、オーガ組付け後に取り付けられる側板は、多数のボルトを用いて連結することになり、組付け工数が多くなるとともに、ボルト締めによる連結強度の差異によって刈取り部の剛性にバラツキが発生することが考えられる。
【０００６】
本発明は、このような点に着目してなされたものであって、オーガ組付けの簡素化を図るとともに、刈取り部の剛性を高める上で有効となるオーガ構造を提供することを目的としている。
【課題を解決するための手段】
【０００７】
第１の発明は、両端部に蓋板が固着されたオーガドラムを、搬送デッキの左右両端部に立設配備された左右一対の側板に亘って回転自在に軸支し、一方の蓋板の中心に軸受けブラケットを介して回動可能に貫通される固定支軸を一方の側板に連結固定するとともに、他方の蓋板の中心に連結フランジを介して連結固定した回転支軸を他方の側板に回転自在に貫通支承し、前記固定支軸のドラム内方端部に支持ブラケットを介して偏心支軸を連結支持し、オーガドラムに外周から貫通装着した掻込み体の基端部を前記偏心支軸に枢支して、オーガドラムの回転によって前記掻込み体をオーガドラムから出退作動させるよう構成したコンバインのオーガ構造であって、
前記左右一対の側板のそれぞれに側板組付け孔を開口するとともに、前記オーガドラムの一方の蓋板に前記偏心支軸および支持ブラケットを挿通し得る形状で且つ前記軸受けブラケットを連結し得る形状の組付け孔を開口して、前記オーガドラムを前記左右一対の側板の間に挿入した状態で、前記連結フランジを連結した前記回転支軸を前記他方の側板の側板組付け孔を通して前記オーガドラム内に挿入して前記連結フランジを前記他方の蓋板の中心に前記他方の側板側から連結固定するとともに、前記支持ブラケットを介して前記偏心支軸を連結支持し且つ前記軸受けブラケットを外嵌装着した前記固定支軸を、前記一方の側板の側板組付け孔及び前記組付け孔を通して前記オーガドラム内に挿入して、前記軸受けブラケットを前記一方の蓋板の中心に前記一方の側板側から連結固定するように構成し、
前記一方の側板に形成される側板組付け孔を、前記一方の蓋板に装着される前記軸受けブラケットの外形よりも大きい径に形成してあることを特徴とする。
【０００８】
上記構成によると、先ず、搬送デッキおよび左右の側板を刈取り部フレームに溶接等によって固定して刈取り部の枠組みを組立て、その上で、左右の側板に亘ってオーガを組付ける。この場合、固定支軸および回転支軸を外したオーガドラムを左右の側板の間に挿し入れ、その後、他方の側板に外側から挿通した回転支軸をオーガドラムの他方の蓋板にボルト連結する。
【０００９】
偏心支軸の端部を予め支持ブラケットを介して固定支軸に片持ち状に連結しておき、次に、一方の側板に形成されている側板組付け孔、および、オーガドラムにおける一方の蓋板に形成されている組付け孔を通して、偏心支軸を支持ブラケットと共にオーガドラム内に挿入する。
その後、偏心支軸の挿入端部を、回転支軸の内方端部に回動可能に装着してある支持アームの遊端部に連結することで、偏心支軸をドラム回転軸心から偏心した所定位置に両端支持状態で固定配備することができる。次に、オーガドラムの外周に貫通装着した掻込み体の内方端を偏心支軸に回動可能に連結する。なお、偏心支軸を支持ブラケットに連結する操作、および、掻込み体を偏心支軸に枢支連結する操作は、オーガドラムの外周に開閉自在に形成してある組付け孔から行うことになる。
【００１０】
従って、第１の発明によると、刈取り部における搬送デッキと左右の側板とを予め溶接、等によって一体化した上でオーガを左右の側板間に亘って軸支装着することが可能となり、片方の側板を後付け装着することで左右の側板間にオーガを軸支する従来の形態に比べて組付け工数が少なくなるとともに、刈取り部の剛性に係わる側板の取り付け強度にバラツキが少なくなり、品質の安定化に有効となる。
【００１１】
第２の発明は、上記第１の発明において、固定支軸を回動可能に支持する軸受けブラケットは、偏心支軸および支持ブラケットを挿通し得る形状の組付け孔が形成された一方の蓋板に対して固定支軸の周方向での複数の連結箇所で固定してあるとともに、前記組付け孔は、前記一方の蓋体に対する軸受けブラケットの連結箇所同士の周方向での間隔を通して、前記固定支軸の径方向で前記連結箇所の内外にわたって形成してあることを特徴とする。
【発明を実施するための最良の形態】
【００１２】
図１に、本発明に係る普通型のコンバインの全体側面が、また、図２に、その全体平面がそれぞれ示されている。このコンバインは、左右一対のクローラ走行装置１を備えた走行機体２に、軸流型の脱穀装置３と袋詰め式の穀粒回収部４が左右に並列して配備されるとともに、穀粒回収部４の前方に運転部５が配備されている。脱穀装置３の前部に支点Ｐ周りに上下揺動自在に刈取り穀稈物搬送用のフィーダ６が連結され、このフィーダ６の前端に略機体横幅に相当する刈幅を有する刈取り部７が連結されている。
【００１３】
図３，４に示すように、刈取り部７は、角パイプやＬ形材を連結してなる刈取り部フレーム８に、背面をなす背板９、底面をなす搬送デッキ１０、左右側面をなす左右一対の側板１１，１２をスポット溶接、等によって取付け固定した枠組み構造となっており、搬送デッキ１０の前端に沿って亘ってバリカン型の刈取り装置１３が配備されるとともに、左右の側板１１，１２に亘って、刈り取った作物を刈り幅中間に横送りするオーガ１４が架設されている。
【００１４】
フィーダ６は、角筒状に形成された搬送ケース１５の内部に掻上げコンベア１６を装備して構成されている。掻上げコンベア１６は、縦回し巻回された左右一対のチェーン１６ａに亘って搬送バー１６ｂを横架連結して構成されており、オーガ１４で横送りされた作物が搬送ケース１５の底面に沿って掻き上げ搬送されて脱穀装置３の前端に投入されるようになっている。
【００１５】
走行機体２における主フレーム１７の前部とフィーダ６の下部との間に油圧シリンダ１８が架設され、この油圧シリンダ１８の伸縮作動によって刈取り部７がフィーダ６と一体に前記支点Ｐ周りに揺動昇降されるようになっている。刈取り部７の前部上方には、植立した作物を後方に掻き込んで刈取り装置１３に送り込む掻込みリール１９が装備されている。
【００１６】
図２，４に示すように、オーガ１４は、大径のオーガドラム２０の外周に、前方回転に伴って前記フィーダ６の前端部に向けて横送り機能を発揮する左右一対のスクリュー羽根２１が備えられるとともに、フィーダ６の前端入口ａに臨む横幅域でオーガドラム２０から出退する棒状の掻込み体（掻込みフィンガー）２２が周方向４箇所に左右２本づつ備えられ、更に、右側横送り域の途中箇所においてオーガドラム２０から出退する１本の補助掻込み体２３が備えられた構造となっている。
【００１７】
オ−ガドラム２０の左右両端近傍における内部には蓋板２４，２５が固設されるとともに、オ−ガドラム２０の右寄り箇所の内部には中間支持板２６が固設されている。右側の蓋板２５と中間支持板２６のそれぞれの中心に亘って回転支軸２７が貫通され、回転支軸２７にキー連結した連結フランジ２７ａが右側の蓋板２５にボルト連結され、もって、回転支軸２７がオ−ガドラム２０の中心（オーガ軸心）ｘに一体連結されている。
【００１８】
図５に示すように、オ−ガドラム２０の右端から突出された前記回転支軸２７は、右側の側板１２に取り付けた軸受けブラケット２８にベアリング２９を介して回動自在に支持され、中間支持板２６の支持孔２６ａに回転自在に支持されている。図８に示すように、側板１２には、前記連結フランジ２７ａおよび前記軸受けブラケット２８を挿通し得る径の側板組付け孔１２ａが形成されるとともに、側板組付け孔１２ａを閉塞するように矩形のカバー板３０が側板１２に外側からボルト連結され、このカバー板３０に軸受けブラケット２８がボルト連結されている。側板１２の内側には、オ−ガドラム２０の右端に形成された凹入空間に入り込む縁付き円板状の巻付き防止板３１が、前記カバー板３０と共締めでボルト連結固定されている。
【００１９】
回転支軸２７の外端部には入力スプロケット３２がキー連結されて回転駆動力を受ける。この入力スプロケット３２には掻込みリール１９への動力伝達を行う出力スプロケット３３が一体形成されている。
【００２０】
図６に示すように、左側の側板１１には、固定支軸３５が連結フランジ３５ａを介して前記オーガ軸心ｘと同心に連結固定されるとともに、オーガドラム２０における左側の蓋板２４に取り付けられた軸受けブラケット３６にベアリング３７を介して回動自在に貫通支持されている。図７に示すように、側板１１には、前記連結フランジ３５ａおよび前記軸受けブラケット３６を挿通し得る径の側板組付け孔１１ａが形成されるとともに、側板組付け孔１１ａを閉塞するように矩形のカバー板３８が側板１１に外側からボルト連結されている。側板１１の内側には、オ−ガドラム２０の左端に形成された凹入空間に入り込む縁付き円板状の巻付き防止板３９が、前記カバー板３８と共締めでボルト連結固定されている。
【００２１】
固定支軸３５の内端部には支持ブラケット４１がキー連結によって固定され、他方、前記回転支軸２７の内端側には支持ブラケット４２がベアリング４３を介してオーガ軸心x周りに回動自在に遊嵌装着されている。これら左右の支持ブラケット４１，４２の先端部に亘って偏心支軸４４がオーガ軸心xと平行に支架されている。支持ブラケット４１，４２は前方下方に向かう所定姿勢に固定され、図３に示すように、両支持ブラケット４１，４２間に連結支架された偏心支軸４４の軸心ｙはオーガ軸心ｘに対して前方下方に偏った位置に設定される。
【００２２】
偏心支軸４４には、掻込み体２２および補助掻込み体２３の装着位置に対応して９個の取付けボス４５が遊嵌されており、各取付けボス４５に掻き込み体２２および補助掻き込み体２３の内方端部が差し込まれてねじ止め連結されている。各取付けボス４５を介して偏心支軸４４に回動自在に装着された掻込み体２２および補助掻込み体２３は、オーガドラム２０の外周所定位置に取り付けられた樹脂製のスライドブッシュ４６に貫通支持されている。なお、オーガドラム２０における外周の左右適所には組込み孔２０ａが形成されて脱着自在なカバー４７で閉塞されるようになっており、スライドブッシュ４６はこのカバー４７に装着されている。
【００２３】
オーガ１４は上記のように構成されて左右の側板１１，１２の間に支架されており、回転支軸２７が駆動回転されてオーガドラム２０が前方に回転すると、各掻込み体２２および補助掻込み体２３は追従して偏心支軸４４の軸心ｙ周りに回動し、この時、偏芯支軸４４と各スライドブッシュ４６との距離が回動位相によって変化することになり、相対的に各掻込み体２２および補助掻込み体２３はオーガドラム２０から出退することになる。
【００２４】
この場合、オーガ軸心ｘと偏心支軸４４の軸心ｙとを結ぶ前方への延長線上において掻込み体突出量が最大になり、その逆位相において掻込み体突出量が最小となる。従って、スクリュー羽根２１で横送りされてきた作物は大きく突出した掻込み体２２および補助掻込み体２３によって後方に掻き込れ、オーガドラム２０を潜るように搬送デッキ１０に沿って後方に送られてフィーダ６の前端入口ａに送り込まれることになる。
【００２５】
上記オーガ１４を左右の側板１１，１２の間に亘って組付ける手順を以下に説明する。
【００２６】
組付けに際しては、予め、回転支軸２７に連結フランジ２７ａをキー連結しておく。他方、固定支軸３５にはベアリング３７を介して軸受けブラケット３６を装着するとともに、支持ブラケット４１をキー連結しておく。更に、取付けボス４５を外嵌装着した偏心支軸４４の左端を支持ブラケット４１の遊端部に連結固定するとともに、偏心支軸４４の右端に、ベアリング４３が装着された支持ブラケット４２を連結しておく。
【００２７】
オーガドラム２０の左右両端部の凹入空間に巻付き防止板３１，３９を仮り組み挿入した状態で、オーガドラム２０を左右の側板１１，１２の間に挿し入れる。
【００２８】
次に、上記のように先組みした回転支軸２７を側板１２の側板組付け孔１２ａを通してオーガドラム２０に挿入し、右側の蓋板２５および中間支持板２６の支持孔２６ａに挿通する。次に、側板組付け孔１２ａからボックスレンチなどの工具を差し込んで連結フランジ２７ａを蓋板２５にボルト連結する。次に、予めカバー板３０を取付けた軸受けブラケット２８をベアリング２９を介して回転支軸２７に外嵌装着し、カバー板３０を側板１２に外側方からボルト連結して側板組付け孔１２ａを塞ぐ。また、カバー板３０を側板１２にボルト連結する際に、巻付き防止板３１を側板１２に共締め固定する。その後、回転支軸２７の突出部に入力スプロケット３２および出力スプロケット３３を取付ける。
【００２９】
次に、上記のように偏心支軸４４および支持ブラケット４１，４２、等を先組みした固定支軸３５を左側の側板１１の側板組付け孔１１ａを通してオーガドラム２０に挿入する。この場合、左側の蓋板２４には支持ブラケット４１，４２を挿通し得る形状の組付け孔２４ａが形成されているので、この組付け孔２４ａを通して支持ブラケット４１，４２および偏心支軸４４を蓋板２４と中間支持板２６との間に差し入れる。
【００３０】
次に、側板組付け孔１１ａからボックスレンチなどの工具を差し込んで軸受けブラケット３６を蓋板２４にボルト連結した後、連結フランジ３５ａにカバー板３８を取付け、カバー板３８を側板１１に外側方からボルト連結することで固定支軸３５を側板１１に固定するとともに側板組付け孔１２ａを塞ぐ。また、カバー板３８を側板１１にボルト連結する際に、巻付き防止板３９を側板１１に共締め固定する。
【００３１】
偏心支軸４４の右端に連結されている支持ブラケット４２は、ベアリング４３を介して回転支軸２７の内端部に遊嵌装着する。この組付け操作は、オーガドラム２０の右側の組付け孔２０ａを介して行う。
【００３２】
次に、開放されている各組付け孔２０ａから工具を差し入れ、偏心支軸４４に外嵌装着されている取付けボス４５に掻込み体２２および補助掻込み体２３の内端部を差込み連結する。その後、掻込み体２２および補助掻込み体２３をスライドブッシュ４６に挿通した状態で各カバー４７をオーガドラム２０に連結して各組込み孔２０ａを塞ぐ。
【００３３】
以上で、オーガドラム２０の組付けが完了する。
【図面の簡単な説明】
【００３４】
【図１】コンバインの全体側面図
【図２】コンバインの全体平面図
【図３】オーガの縦断左側面図
【図４】オーガの横断平面図
【図５】オーガの右端部付近を示す横断平面図
【図６】オーガの左半部を示す横断平面図
【図７】左側の側板の要部を示す側面図
【図８】右側の側板の要部を示す側面図
【図９】オーガの分解図
【符号の説明】
【００３５】
１０              搬送デッキ
１１              側板
１２              側板
２０              オーガドラム
２２              掻込み体
２４              蓋板
２５              蓋板
２７              回転支軸
３５              固定支軸
４１              支持ブラケット
４４              偏心支軸
２４ａ            組付け孔
【図１】
0004594875.tif 000002
【図２】
0004594875.tif 000003
【図３】
0004594875.tif 000004
【図４】
0004594875.tif 000005
【図５】
0004594875.tif 000006
【図６】
0004594875.tif 000007
【図７】
0004594875.tif 000008
【図８】
0004594875.tif 000009
【図９】
0004594875.tif 000010